(57)【要約】      （修正有）【課題】位置ずれ現象が発生せず、１００％の密封及び省力で時間を節約する包装効果を有する、プレオープンタイプジッパーバッグを提供する。【解決手段】ロール状のジッパーバッグ半製品がジッパーバッグ完成品９０６として成型された、プレオープンタイプジッパーバッグである。ジッパーバッグ完成品は第一側密封部Ｚ５１及び対応する第二側密封部Ｚ５２と、第一側密封部及び第二側密封部の底部に位置し、ジッパーバッグ完成品をＵ字形密封形態に形成する密封部Ｚ６と、密封部の上側に、雄側咬合部Ｚ１及び雌側咬合部Ｚ２を有するジッパー部Ｚと、を備える。ジッパーバッグ完成品の成型時に、ジッパー部の両端箇所は閉塞状のジッパーＺ００であり、且つジッパー部の中央箇所は開封状のジッパーＺ１１である。【選択図】図７
0003234259.tif 000002
【実用新案登録請求の範囲】
【請求項１】
ロール状のジッパーバッグ半製品がジッパーバッグ完成品として成型されたプレオープンタイプジッパーバッグであって、
前記ジッパーバッグ完成品は、
第一側密封部及び対応する第二側密封部と、
前記第一側密封部及び前記第二側密封部の底部に位置し、前記ジッパーバッグ完成品をＵ字形密封形態に形成する密封部と、
前記密封部の上側に、雄側咬合部及び雌側咬合部を有するジッパー部と、
を備え、
前記ジッパーバッグ完成品の成型時に、前記ジッパー部の両端箇所は閉塞状のジッパーであり、且つ前記ジッパー部の中央箇所は開封状のジッパーであることを特徴とするジッパーバッグ。
【考案の詳細な説明】
【技術分野】
【０００１】
本考案は、ジッパーバッグに関し、更に詳しくは、ジッパーバッグ完成品の成型時に、ジッパー部の両端箇所が閉塞状のジッパーを呈し、且つその中央箇所は開封状のジッパーを呈し、これにより構成するプレオープンタイプジッパーバッグに関する。
【背景技術】
【０００２】
ジッパーバッグ（ZIPPER BAGS）は開口端にジッパー部が設けられた包装バッグであり、ジッパー部は２つの内側壁にそれぞれ設置されている雄側咬合部及び雌側咬合部を備えている。雄側咬合部及び雌側咬合部の密着時に粉塵や水分が透過できないジッパー部を含み、これによりバッグ内の物品に対する極めて好ましい防護効果を達成している。密着した雄側咬合部及び雌側咬合部を開くことは難しくなく、また、前記ジッパー部を何度も繰り返して開閉してもその構造は損傷しにくい。よって、産業界においてジッパーバッグは普遍的に大量に応用されている。
【０００３】
また、ジッパーバッグの製造には大量生産方式が採用されており、その多くはまずジッパーバッグ半製品を製造した後に裁断融合プロセスを経てジッパーバッグ完成品を完成させる。ジッパーバッグ半製品の製造方式は図１を参照すると、バッグ体押出機構によって連続管状のバッグ体９０１を押し出し、ジッパー押出機構により前記バッグ本体の表面で製造ライン方向に沿って２つの雄側咬合部Ｚ１及び雌側咬合部Ｚ２を押し出してバッグ体９０２〜９０３に貼付する。且つ裁断機構によって開口辺Ｚ３を有している薄片状のバッグ体９０４を切り出した後、裏返し機構により前記バッグ体を裏返す。前記雄側咬合部Ｚ１及び前記雌側咬合部Ｚ２を相互に咬合すると共に前記開口辺Ｚ３の下端に位置させてジッパーバッグ半製品９０５の製造を完了する。ジッパーバッグ半製品９０５の雄側咬合部Ｚ１及び雌側咬合部Ｚ２が相互に咬合しているため、裁断融合が完了したジッパーバッグ完成品９０６のジッパー部Ｚも閉塞状態を呈している（図２参照）。
【０００４】
産業界では物品の包装作業を行う場合、まずジッパーバッグ完成品９０６の雄側咬合部Ｚ１及び雌側咬合部Ｚ２を密着状態から脱離させなければ、その開口辺Ｚ３を開いて物品を納入することができない（図３参照）。しかしながら、開口辺Ｚ３の２枚のフィルムは緊密に貼着されており、且つ厚さが薄いため、作業者がフィルムの間の隙間を見つけて雄側咬合部Ｚ１及び雌側咬合部Ｚ２を開くことは困難であった。このため、ジッパーバッグ完成品９０６の開口辺Ｚ３を開くことは包装作業にとって面倒な作業であった。以前はジッパーバッグの袋開口機を使用してジッパーを開くものや（特許文献１参照）、ジッパーバッグの開口端の２枚のフィルムの外側に研磨顆粒層を設け、指で擦ることで２枚のフィルムを開いてバッグを開くものがあった（特許文献２参照）。しかしながら、ジッパーバッグの袋開口機を採用するには設備投資が必要であり、ジッパーバッグの２枚のフィルムの外側に研磨顆粒層を設ける場合も製造コストが増加した。上述の２つの方法のさらに大きな問題点は、ジッパー部を開いた後に２つの雄側咬合部及び雌側咬合部に位置ずれ現象が発生しやすいことである。前記現象はジッパー部の密着を困難にするほか、雄側咬合部及び雌側咬合部が確実に密着されていなければ、バッグ内の物品を効果的に安全に防護することができなくなる。なお、前述の位置ずれ現象とは、雄側咬合部及び雌側咬合部が互いに対応しない位置に位置することを指す。咬合動作を行う際に前記雄側咬合部が雌側咬合部のスロット中にスムーズに嵌入しなくなり、作業者がその対応位置を懸命に調整しなければならなくなり、包装効率に影響が及んだ。前記位置ずれ現象は作業者が気付かずに調整してしまうと、ジッパー部が密着しておらずに包装が失敗することもあった。
【先行技術文献】
【特許文献】
【０００５】
【特許文献１】台湾登録実用新案第５８４２９７号明細書
【特許文献２】台湾特許出願第６４４８３６号明細書
【考案の概要】
【考案が解決しようとする課題】
【０００６】
そこで、本考案者は上記の欠点が改善可能と考え、鋭意検討を重ねた結果、合理的設計で上記の課題を効果的に改善する本考案の提案に至った。
【０００７】
本考案は前記技術的課題に鑑みて開発されたものであり、プレオープンタイプジッパーバッグを提供することを目的とする。すなわち、ユーザーは雄側咬合部及び雌側咬合部を離反させずに物品をバッグ内に直接納入でき、且つ雄側咬合部及び雌側咬合部を密着させる際に位置ずれ現象が発生せず、１００％の密封、及び省力で時間を節約する包装効果を達成する。
【課題を解決するための手段】
【０００８】
上記課題を解決するために、本考案のある態様のジッパーバッグは、ロール状のジッパーバッグ半製品をジッパーバッグ完成品として成型する。前記ジッパーバッグ完成品は、第一側密封部及び対応する第二側密封部と、前記第一側密封部及び前記第二側密封部の底部に位置し、前記ジッパーバッグ完成品をＵ字形密封形態に形成する密封部と、前記密封部の上側に雄側咬合部及び雌側咬合部を有するジッパー部と、を備えている。前記ジッパーバッグ完成品の成型時に、前記ジッパー部の両端箇所は閉塞状のジッパーであり、且つ前記ジッパー部の中央箇所は開封状のジッパーであることを特徴とする。
【考案の効果】
【０００９】
上記技術的特徴により、本考案で製造するジッパーバッグ完成品は、ジッパー部の中央箇所が開封状態の部分となる。よって、包装作業を行う際に、作業者はジッパー部を開かずに物品を開封箇所からバッグ内に直接納入可能になる。また、両端の閉塞箇所が中央部位に向けて雄側咬合部を雌側咬合部の溝内に圧入している。そのため、中央箇所の咬合動作が両側端の閉塞箇所の雄側咬合部及び雌側咬合部によりガイドされ、前記雄側咬合部が雌側咬合部の溝内に容易に嵌入し、且つ如何なる位置ずれ現象も発生しない。よって、本考案のジッパーバッグは、ジッパー部の中央箇所が開口状を呈し、両端箇所が閉塞状を呈し、ジッパー部が１００％の密封、及び省力で時間を節約する包装効果を達成する。
【００１０】
本明細書及び図面の記載により、少なくとも、以下の事項が明らかとなる。
【図面の簡単な説明】
【００１１】
【図１】従来のジッパーバッグ半製品の製造工程を示す概略図である。
【図２】従来のジッパーバッグ完成品を示す概略図である。
【図３】従来のジッパーバッグの開口部が開かれた状態を示す概略図である。
【図４】本考案の一実施形態に係るプレオープンタイプジッパーバッグの製造のフローチャートである。
【図５Ａ】本考案のジッパーバッグの雄側と雌側咬合部が開かれて互いに分離する状態を示す概略図である。
【図５Ｂ】本考案のジッパーバッグの雄側と雌側咬合部が密着状態を呈する概略図である。
【図５Ｃ】本考案のジッパーバッグの雄側と雌側咬合部が互いに分離する状態を呈す概略図である。
【図６Ａ】本考案の予備作業の設備配置状態を示す概略図である。
【図６Ｂ】本考案の開封作業の設備配置状態を示す概略図である。
【図６Ｃ】本考案のプレス作業の設備配置状態を示す概略図である。
【図６Ｄ】本考案の作業全体の設備配置状態を示す概略図である。
【図６Ｅ】本考案の裁断工程の状態を示す概略図である。
【図６Ｆ】本考案の融合工程の状態を示す概略図である。
【図６Ｇ】本考案のジッパーバッグ完成品を示す概略図である。
【図７】本考案の完成されたジッパーバッグ完成品の構成を示す斜視図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１３】
図７の本考案のプレオープンタイプジッパーバッグの好ましい一実施例では、前記ジッパーバッグ完成品９０６は、第一側密封部Ｚ５１及び対応する第二側密封部Ｚ５２と、前記第一側密封部Ｚ５１及び前記第二側密封部Ｚ５２の底部に位置し、前記ジッパーバッグ完成品９０６をＵ字形密封形態に形成する密封部Ｚ６と、を備えている。前記ジッパーバッグ完成品９０６は前記密封部Ｚ６の上側に、雄側咬合部Ｚ１及び雌側咬合部Ｚ２を有しているジッパー部Ｚが設けられている。
【００１４】
本考案の主な特徴について下述する。
前記ジッパーバッグ完成品９０６の成型時に、前記ジッパー部Ｚの両端箇所は閉塞状のジッパーＺ００を呈し、且つその中央箇所は開口状の開封状のジッパーＺ１１を呈する。これによりプレオープンタイプジッパーバッグ９０６を構成している。
【００１５】
続いて、本考案のプレオープンタイプジッパーバッグ９０６の製造工程は、ロール状のジッパーバッグ半製品を加工してプレオープンタイプジッパーバッグを製造し、且つそのジッパー部の中央箇所は開口状を呈し、両端箇所は閉塞状を呈する工程を含む。その製造工程は図４に示されるように、（ａ）．ジッパーバッグ半製品を展開する工程と、（ｂ）．雄側咬合部及び雌側咬合部を離反する工程と、（ｃ）．ジッパーバッグ半製品を変位する工程と、（ｄ）．ジッパー部をプレスする工程と、（ｅ）．成型端を裁断する工程と、（ｆ）．切口端をヒートシールする工程と、（ｇ）．ジッパーバッグ完成品を包装する工程と、を含む。工程（ａ）．のジッパーバッグ半製品の展開は、輸送ユニットによりロール状のジッパーバッグ半製品を連続フィルム状のジッパーバッグ半製品として展開し、且つこれを加工成型する段階で作業エリアに設置する。工程（ｂ）．の雄雌側咬合部の離反は、前記作業エリアでロングスティックをフィルム状のジッパーバッグ半製品のジッパー部に挿入し、且つ前記ロングスティックを連続輸送するジッパー部中に保持し、元々密着状態を呈していた雄側咬合部及び雌側咬合部を互いに分離させる。工程（ｃ）．のジッパーバッグ半製品の変位は、挟持変位ユニットにより前記作業エリアのフィルム状のジッパーバッグ半製品を変位させ、前記ジッパーバッグ半製品の移動距離をジッパーバッグ完成品の幅距離にする。工程（ｄ）．のジッパー部のプレスは、前記ロングスティックの後側方に隣接する箇所で、プレス治具により、分離状態を呈している雄側咬合部及び雌側咬合部をプレスし、このプレス箇所の雄側咬合部及び雌側咬合部を再度密着させる。工程（ｅ）．の成型端の裁断は、切口ユニットにより前記プレス箇所の中心線位置箇所で前記ジッパーバッグ半製品を裁断し、その裁断箇所に２つの切口を同時に形成し、且つジッパーバッグ完成品と前記ジッパーバッグ半製品とを分離する。工程（ｆ）．の切口端のヒートシールは、ヒートシールユニットにより前記裁断箇所の両側の切口を高速融合し、前記切口に前記第一側密封部及び第二側密封部をそれぞれ形成する。工程（ｇ）．のジッパーバッグ完成品の包装は、包装バッグ（図示せず）によりその定格数量のジッパーバッグ完成品を収容する。
【００１６】
図５Ａ乃至図５Ｃは本考案の核心的作業の１つを図示する。工程（ｂ）．ではロングスティック１０をジッパーバッグ半製品９０５に挿入し、且つ前記ロングスティック１０を連続輸送するジッパー部Ｚ中に保持する。前記ロングスティック１０が通過するジッパー部Ｚは、元々密着状態を呈していた雄側咬合部Ｚ１及び雌側咬合部Ｚ２が前記ロングスティック１０により開かれて互いに分離する。即ち、本考案はロングスティック１０を使用して連続輸送するジッパー部Ｚ中を通過させ、密着状態の閉塞状のジッパーＺ００から開封状のジッパーＺ１１に変換する。図５Ｂはジッパーバッグ半製品９０５の雄側咬合部Ｚ１及び雌側咬合部Ｚ２が本来密着状態を呈し、これは閉塞状のジッパーＺ００に属する。図５Ｃはジッパーバッグ半製品９０５の雄側咬合部Ｚ１及び雌側咬合部Ｚ２がロングスティック１０により開かれて互いに分離する状態を呈し、これは開封状のジッパーＺ１１に属する。本考案の他の核心的作業はプレス作業である。前記ロングスティック１０の後側方に隣接する箇所で、プレス治具２０を使用してジッパー部Ｚに対するプレスを行い、互いに分離している雄側咬合部Ｚ１及び雌側咬合部Ｚ２を再度密着させ、ジッパー部Ｚに一部が閉塞状のジッパーＺ００及び一部が開封状のジッパーＺ１１となる形態を形成させる。
【００１７】
本考案は輸送ユニットによりロール状のジッパーバッグ半製品を連続フィルム状のジッパーバッグ半製品として展開し、且つ加工成型する段階で作業エリアに送入し、各工程でジッパーバッグ完成品を完成させる。その過程の状態は、図６Ａ乃至図６Ｇに示す。本考案の前段の作業はジッパーバッグ半製品のＡ、Ｂ、Ｃの３つのエリア中で行う（図６Ａ乃至図６Ｃ参照）。ここでは、各エリアの幅Ｗはジッパーバッグ完成品９０６の幅を示す。フィルム状のジッパーバッグ半製品９０５の加工順序はＡエリアから始まり、１つのエリアの幅Ｗを変位する毎に輸送ユニットが一時停止して各工程の作業プロセスを実行する。まず、ロングスティック１０をフィルム状のジッパーバッグ半製品９０５のジッパー部Ｚに挿入し、輸送ユニットを起動すると共に前記ロングスティック１０を連続輸送のジッパー部Ｚ中に保持する。前記ロングスティック１０が通過するジッパー部Ｚについて、雄側咬合部Ｚ１及び雌側咬合部Ｚ２が分離されて開封状のジッパーＺ１１が形成される。プレス治具２０は前記ロングスティック１０に隣接する後側方に設置され、プレス治具２０が開封状のジッパーＺ１１に対しプレスを行い、その雄側咬合部Ｚ１及び雌側咬合部Ｚ２を再度密着させて閉塞状のジッパーＺ００を形成する。前記プレス治具２０の中心線が２つのエリアの境界箇所に位置するため、その閉塞状のジッパーＺ００が２つのエリアに均等に配置される。且つ１つのエリアの幅Ｗを変位する毎に輸送ユニットが一時停止するため、プレス治具２０がプレス作業を行う際に、前の閉塞状のジッパーＺ００がＡエリアの右側に移動している。図６Ｃから分かるように、Ａエリアのフィルム状のジッパーバッグ半製品９０５の中央箇所には一部が開封状のジッパーＺ１１が形成され、左右両側には２つの独立した部分の閉塞状のジッパーＺ００が形成される。
【００１８】
続いて、本考案の全体の作業はジッパーバッグ半製品のＡ、Ｂ、Ｃ、Ｄの４つのエリアで行われ、前段の作業のジッパーバッグ半製品は１つのエリアの幅Ｗを変位することで形成される。よって、雄雌側咬合部を離反する工程を行う際にロングスティック１０がＣエリアに位置し、ジッパー部のプレス工程を行う際にプレス治具２０はＢエリアとＣエリアとの境界箇所に位置する。成型端を裁断する工程を行う際に切口ユニット３０は、ＡエリアとＢエリアとの境界箇所に位置する。且つＡエリアに変位するフィルム状のジッパーバッグ半製品９０５は、その中央箇所には一部が開封状のジッパーＺ１１が形成され、その左右両側には２つの独立した部分の閉塞状のジッパーＺ００が形成される（図６Ｄ乃至図６Ｅ参照）。前記切口ユニットは閉塞状のジッパーＺ００の中心線位置箇所で前記ジッパーバッグ半製品９０５を裁断し、その裁断箇所に第一切口部Ｚ４１及び第二切口部Ｚ４２の２つの切口を同時に形成し、且つジッパーバッグ完成品９０６と前記ジッパーバッグ半製品９０５とを分離する。本考案は前記切口ユニット３０及び前記ヒートシールユニット４０を一体化させて１つの装置とし、工程（ｅ）．の成型端を裁断する工程及び工程（ｆ）．の切口端をヒートシールする工程の２つの工程を同時に実行する。ヒートシールユニット４０は、裁断する際に前記第一切口部Ｚ４１及び第二切口部Ｚ４２を高速融合し、且つ前記第一切口部Ｚ４１及び前記第二切口部Ｚ４２に第一側密封部Ｚ５１及び第二側密封部Ｚ５２をそれぞれ形成する（図６Ｆ及びＧ参照）。本考案は裁断及びヒートシールの２つの工程を経た後、前記ジッパーバッグ半製品９０５とは分離したジッパーバッグ完成品９０６が形成される。前記ジッパーバッグ完成品９０６は開口辺Ｚ３と、第一側密封部Ｚ５１と、第二側密封部Ｚ５２と、密封部Ｚ６とを有する。開口辺Ｚ３箇所に隣接するジッパー部Ｚは中央箇所に一部が開封状のジッパーＺ１１が形成され、左右両側には２つの独立した部分の閉塞状のジッパーＺ００が形成される（図６Ｇ参照）。前記ジッパーバッグ完成品９０６は、定格数量を収容した後に包装バッグ（図示せず）内に保管される。
【００１９】
図７は本考案の製造方法により完成したプレオープンタイプジッパーバッグ９０６を図示する。その開口辺Ｚ３のジッパー部は一部が開口状を呈し、他の一部が閉塞状を呈する。即ち、第一側密封部Ｚ５１及び第二側密封部Ｚ５２に隣接するジッパー部Ｚが密着状態となり、中央箇所のジッパー部、つまり開口辺Ｚ３は開口状態となる。これは、第一側密封部Ｚ５１及び第二側密封部Ｚ５２に隣接するジッパー部Ｚがプレス治具２０によりプレスされ、その雄側咬合部Ｚ１が雌側咬合部Ｚ２中に嵌入して相互に咬合し、閉塞状のジッパーＺ００が形成される一方、ジッパー部Ｚの中央箇所はロングスティック１０により離反され、プレス治具２０によりプレスされていないため、その雄側咬合部Ｚ１及び雌側咬合部Ｚ２が分離状態となって開封状のジッパーＺ１１が形成されるためである。本考案の完成したプレオープンタイプジッパーバッグ９０６は包装作業を行う際に、作業者が力をかけてジッパー部Ｚを開く必要がなく、物品を中央箇所部分の開封状のジッパーＺ１１から直接バッグ内に納入できる。両端の独立した部分の閉塞状のジッパーＺ００が中央部位に向けて開封状のジッパーＺ１１の雄側咬合部Ｚ１を雌側咬合部Ｚ２内に圧入し、両端の閉塞状のジッパーＺ００によりガイドされ、前記開封状のジッパーＺ１１の咬合作業を容易に行えるようになる。また、如何なる位置ずれ現象も発生しない。よって、本考案により完成したプレオープンタイプジッパーバッグ９０６は、１００％の密封、及び省力で時間を節約する包装効果を達成する。
【００２０】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２１】
１０  ロングスティック
２０  プレス治具
３０  切口ユニット
４０  ヒートシールユニット
９０５  ジッパーバッグ半製品
９０６  ジッパーバッグ完成品／プレオープンジッパーバッグ
Ｗ  幅
Ｚ  ジッパー部
Ｚ００  閉塞状のジッパー
Ｚ１１  開封状のジッパー
Ｚ１  雄側咬合部
Ｚ２  雌側咬合部
Ｚ３  開口辺
Ｚ４１  第一切口部
Ｚ４２  第二切口部
Ｚ５１  第一側密封部
Ｚ５２  第二側密封部
Ｚ６  密封部
【図１】
0003234259.tif 000003
【図２】
0003234259.tif 000004
【図３】
0003234259.tif 000005
【図４】
0003234259.tif 000006
【図５Ａ】
0003234259.tif 000007
【図５Ｂ】
0003234259.tif 000008
【図５Ｃ】
0003234259.tif 000009
【図６Ａ】
0003234259.tif 000010
【図６Ｂ】
0003234259.tif 000011
【図６Ｃ】
0003234259.tif 000012
【図６Ｄ】
0003234259.tif 000013
【図６Ｅ】
0003234259.tif 000014
【図６Ｆ】
0003234259.tif 000015
【図６Ｇ】
0003234259.tif 000016
【図７】
0003234259.tif 000017